(57)【要約】    【構成】  外壁構造１０は、たとえば７つの外面平面の外壁パネル１２を並べて形成する。平面形状の外壁１２に隣接する外壁パネル１２ａ、１２ｇを外壁パネル２４に対して面一および直角に配置し、これ以外の外壁パネル１２ｂ、１２ｃ、１２ｄ、１２ｅを隣接する外壁パネル１２ｂ、１２ｃ、１２ｄ、１２ｅに対して角度を付けて配置する。    【効果】  外壁パネル１２ａは既存の断面矩形の柱２２に干渉せず、外壁パネル１２ｇは既存の入隅バックアップ材２８などにより同じく外面平面の外壁パネル２４と接合される。また、外壁パネル１２ｂ、１２ｃ、１２ｄ、１２ｅにより非矩形平面空間の曲面近似の外壁が形成される。【選択図】  図１
2006138105.tif 000002
【特許請求の範囲】
【請求項１】
平面形状の外壁を有する建物に設けられる非矩形平面空間の曲面近似の外壁を形成する外壁構造であって、
それぞれの外面が平面である複数の外壁パネルを備え、
前記複数の外壁パネルは前記平面形状の外壁に続けて並べられ、
前記複数の外壁パネルの内の、前記平面形状の外壁に隣接する外壁パネルは当該外壁に対して面一または直角に配置され、
前記平面形状の外壁に隣接する外壁パネル以外の外壁パネルは隣接する外壁パネルに対して角度を付けて配置される、外壁構造。
【発明の詳細な説明】
【技術分野】
【０００１】
この発明は、外壁構造に関し、特にたとえば、非矩形平面空間の外壁に用いられる、外壁構造に関する。
【背景技術】
【０００２】
従来の外壁構造の一例が、特許文献１に開示されている。この特許文献１の曲面外壁パネルの取付構造では、外部側が曲面でフレーム側が平面の曲面外壁パネルを用い、これを下地フレームに取り付けている。
【特許文献１】特開平８−１５８５１３号公報［Ｅ０４Ｂ  ２／９０、Ｅ０４Ｂ  ２／５６］
【発明の開示】
【発明が解決しようとする課題】
【０００３】
しかしながら、特許文献１では特殊な外壁パネルを用意する必要があり、しかもその外壁パネルの曲率により外壁全体の形状は決まってしまう。
【０００４】
この問題を解決する方法として、図８に示すように、外面が平面の外壁パネル１を用い、これらの外壁パネル１を平面形状の外壁２から角度を付けながら並べて非矩形平面空間の曲面近似の外壁を形成する方法がある。
【０００５】
この方法では、外壁パネル１を並べ終えてから、各外壁パネル１の間に目地防水処理を施す。このとき、平面形状の外壁２に隣接する外壁パネル１の一方の外壁パネル１ａと平面形状の外壁２とが直角に配置されるこれらの間では、たとえば、外壁パネル１ａおよび外壁２の入隅に外壁パネル入隅および入隅バックアップ材などを取り付けてから、入隅バックアップ材、外壁パネル１ａおよび外壁２で囲まれた空間にコーキング材を施し目地材を嵌める。
【０００６】
また、平面形状の外壁２に隣接する外壁パネル１の他方の外壁パネル１ｂと平面形状の外壁２とが面一に配置されるこれらの間に既存の角柱の柱４が設けられる。
【０００７】
しかし、この従来技術では、外壁パネル１ａは平面形状の外壁２に対して角度α：９６度で配置され、外壁パネル１ａと外壁２との間３の角度αは９０度でなく特殊な角度を有する。このため、外壁パネル１ａおよび外壁２に９０度の入隅に対応する既存の入隅バックアップ材などを取り付けることができず、特殊な入隅バックアップ材などを用いる必要がある。
【０００８】
また、外壁パネル１ｂは平面形状の外壁２に対して角度β：１８６度で配置され、外壁パネル１ｂと平面形状の外壁２との柱４側の角度は１８０度より小さくなるため、外壁パネル１ｂが柱４に干渉してしまう。
【０００９】
それゆえに、この発明の主たる目的は、既存部材を用いて多様な形状の外壁を形成することができる、外壁構造を提供することである。
【課題を解決するための手段】
【００１０】
請求項１の発明は、平面形状の外壁を有する建物に設けられる非矩形平面空間の曲面近似の外壁を形成する外壁構造であって、それぞれの外面が平面である複数の外壁パネルを備え、複数の外壁パネルは平面形状の外壁に続けて並べられ、複数の外壁パネルの内の、平面形状の外壁に隣接する外壁パネルは当該外壁に対して面一または直角に配置され、平面形状の外壁に隣接する外壁パネル以外の外壁パネルは隣接する外壁パネルに対して角度を付けて配置される、外壁構造である。
【００１１】
請求項１の発明では、複数の外壁パネルを平面形状の外壁に続けて並べ、平面形状の外壁と隣接する外壁パネルをその外壁に対して面一または直角に配置し、その他の外壁パネルを隣接する外壁パネルに対して角度を付けて配置して、非矩形平面空間の曲面近似の外壁を形成する。
【００１２】
このように、平面形状の外壁と隣接する外壁パネルを平面形状の外壁に対して面一に配置すれば、その外壁パネルと外壁との間に既存の断面矩形の柱を設けても外壁パネルはこの柱に干渉しない。
【００１３】
また、平面形状の外壁と隣接する外壁パネルをその外壁に対して直角に配置すれば、その外壁パネルと平面形状の外壁との間に既存の目地防水構造などを用いることができる。
【００１４】
さらに、平面形状の外壁と隣接する外壁パネル以外の外壁パネルの幅、数や角度などを変えることにより、非矩形平面空間の外壁の曲率や形状などを変えることができる。
【発明の効果】
【００１５】
この発明によれば、平面形状の外壁と隣接する外壁パネルを外壁に対して面一または直角に配置し、その他の外壁パネルを隣接する外壁パネルに対して角度を付けて配置することにより、既存部材を用いて多様な形状の非矩形平面空間の外壁を形成することができる。
【００１６】
この発明の上述の目的，その他の目的，特徴および利点は、図面を参照して行う以下の実施例の詳細な説明から一層明らかとなろう。
【発明を実施するための最良の形態】
【００１７】
図１に示すこの発明の一実施例である外壁構造１０は、それぞれの外面が平面である複数の外壁パネル１２を用いて、図２（Ａ）および図２（Ｂ）に示す非矩形平面空間１６の曲面近似の外壁を形成するものである。非矩形平面空間１６は平面形状の外壁１４を有する建物１５の一部に設けられて、その空間の水平面は非矩形状である。
【００１８】
図１に示す外壁パネル１２は平らな表面を有する壁板１８を含み、壁板１８の内面に複数、この実施例では２つの下地木２０が設けられる。壁板１８は矩形の長尺の平板であり、壁板１８の幅は、たとえば４４５ｍｍである。下地木２０は矩形の長尺の平板であり、壁板１８の長手方向にわたって壁板１８に直角に取り付けられる。
【００１９】
この外壁パネル１２を非矩形平面空間１６に取り付ける場合、複数、この実施例では７つの外壁パネル１２を用意する。その１つの外壁パネル１２ａを平面形状の外壁１４を構成する外面平面の外壁パネル２４に対して角度θ１：１８０度、つまり面一に配置する。この外壁パネル１２ａと外壁パネル２４との間に、たとえば鉄骨の角柱（断面矩形）の柱２２が設けられ、壁板１８は柱２２の対向する面に対して平行に配置され、下地木２０は柱２２に沿う。なお、平面形状の外壁１４の外壁パネル２４は非矩形平面空間１６の外壁パネル１２とほぼ同様であるが、外壁パネル２４の壁板２６の幅は外壁パネル１２の壁板１８の幅の２倍であり、たとえば９００ｍｍである。
【００２０】
次の外壁パネル１２ｂを外壁パネル２４と隣接した外壁パネル１２ａに対して角度θ２、たとえば１８８度に傾けて配置する。その次の外壁パネル１２ｃを先に配置した外壁パネル１２ｂに対して角度θ３、たとえば１９８．５度傾けて配置する。他の３つの外壁パネル１２ｄ、１２ｅ、１２ｆも先に配置した外壁パネル１２ｃ、１２ｄ、１２ｅに対して角度θ３、たとえば１９８．５度傾けて配置してから、この次の外壁パネル１２ｇを先に配置する外壁パネル１２ｆに対して角度θ２、たとえば１８８度に傾けて配置する。この外壁パネル１２ｇは外壁パネル２４に対して角度θ４：９０度、つまり直角に配置される。
【００２１】
外壁パネル１２を配置した後、各外壁パネル１２の間にコーキング剤などを埋め、目地材などを嵌める。このとき、外壁パネル１２ａと外壁パネル２４との間、および角度を付けて配置した外壁パネル１２ａ、１２ｂ、１２ｃ、１２ｄ、１２ｅ、１２ｆ、１２ｇとの間には、たとえば特開平６−１６７０６０号公報に記載された目地防水構造を利用することができる。この場合、外壁パネル１２に予めバックガード嵌装凹部を設けておき、そのバックガード嵌装凹部にバックガードを装着する。そして、バックガードおよび２つの外壁パネル１２に囲まれた空間にコーキング剤を施工してから、そこへガスケットを挿入する。これにより、バックガードはガスケットの裏面に圧接される。
【００２２】
また、外壁パネル１２ｇと外壁パネル２４との間では、図３（Ｂ）に示すように、外壁パネル１２ｇの壁板１８および外壁パネル２４の壁板２６の内面にそれぞれ外壁パネル入隅３０を取り付けてから、この外壁パネル入隅３０に既存の９０度の入隅に対応する入隅バックアップ材２８を取り付ける。そして、入隅バックアップ材２８、外壁パネル１２の壁板１８および外壁パネル２４の壁板２６に囲まれた空間にコーキング剤３２を施工してからそこに目地材３４を嵌める。目地材３４は左右両側に突出したリップ部３４ａを有し、目地の先端に複数のクサビ状フィン部３４ｂを有する。リップ部３４ａは左右方向からの圧縮を受けた際に湾曲変形することができる。
【００２３】
このように、平面形状の外壁１４の外壁パネル２４に隣接する外壁パネル１２ａを外壁パネル２４に対して面一に配置すると、外壁パネル１２ａと外壁パネル２４との間に既存の角柱の柱２２を設けることができる。
【００２４】
また、平面形状の外壁１４の外壁パネル２４に隣接する外壁パネル１２ｇを外壁パネル２４に対して直角に配置すれば、外壁パネル１２ｇと外壁パネル２４との間に既存の入隅バックアップ材２８など目地防水構造を用いることができる。
【００２５】
さらに、平面形状の外壁１４に隣接する外壁パネル１２ａ、１２ｇ以外の外壁パネル１２ｂ、１２ｃ、１２ｄ、１２ｅの間の角度θ２、θ３を付けることにより、非矩形平面空間１６の曲面近似の外壁を形成することができる。
【００２６】
そして、曲面近似の外壁に平面形状の外壁１４の外壁パネル２４の壁板２６の幅より小さな壁板１８の外壁パネル１２を用いることにより、各外壁パネル１２の間の角度が大きくなり外壁パネル１２が連結して形成される外壁の形状はより曲面に近くなる。
【００２７】
図４に示すこの発明の他の実施例である外壁構造１０は図１に示す外壁構造１０とほぼ同じであるが、平面形状の外壁１４に対する外壁パネル１２の接合角度が異なる。図１に示す外壁構造１０では平面形状の外壁１４に対して外壁パネル１２ｇを直角に配置したが、図４の外壁構造１０では平面形状の外壁１４に対して外壁パネル１２ｇを面一に配置する。これ以外の部分に関しては図１実施例の示す外壁構造１０と同様であるため、説明は省略する。
【００２８】
この外壁構造１０は図５（Ａ）および図５（Ｂ）に示す建物１５の非矩形平面空間１６の外壁に用いられる。
【００２９】
図４に示すように、複数、この実施例では７つの外壁パネル１２を用意する。この１つの外壁パネル１２ａを平面形状の外壁１４の外壁パネル２４に対して面一に配置して、外壁パネル１２ａと外壁パネル２４との間に設けた柱２２に下地木２０を沿わせ、壁板１８を柱２２の対向する面に対して平行に配置する、この次の外壁パネル１２ｂを外壁パネル２４と隣接した外壁パネル１２ａに対して角度θ２、たとえば１８８度に傾けて配置する。そして、残りの４つの外壁パネル１２ｃ、１２ｄ、１２ｅ、１２ｆを先に配置した外壁パネル１２ｂ、１２ｃ、１２ｄ、１２ｅに対して角度θ３、たとえば１９８．５度傾けて配置する。そして最後に外壁パネル１２ｇを外壁パネル１２ｆに対して角度θ２、たとえば１８８度に傾けて配置すると、外壁パネル１２ｇは外壁パネル２４に対して面一に配置されて、外壁パネル１２ｇの壁板１８は柱２２の対向する面に対して平行に配置され、下地木２０は柱２２に沿う。それから、並べた外壁パネル１２の間にコーキング剤や目地材などを嵌める。
【００３０】
図６に示すこの発明の他の実施例である外壁構造１０は図１に示す外壁構造１０とほぼ同じであるが、平面形状の外壁１４に対する外壁パネル１２の接合角度および非矩形平面空間の形状が異なる。図１実施例では外壁パネル１２を平面形状の外壁１４に対して面一および直角に配置し、非矩形平面空間１６の水平面は円を４分割した形状である。これに対して、図５実施例では外壁パネル１２を平面形状の外壁１４に対して直角に配置し、非矩形平面空間３６の水平面は半円形状である。これ以外の部分に関しては図１実施例の示す外壁構造と同様であるため、説明は省略する。
【００３１】
この外壁構造１０は図７に示す建物１５の非矩形平面空間３６に用いられる。図６に示すように、たとえば１４つの外壁パネル１２を用いて、これらの外壁パネル１２を半円形状に並べる。この内の平面形状の外壁１４の外壁パネル２４に隣接する外壁パネル１２ａ、１２ｎを外壁パネル２４に対して直角に配置する。そして、外壁パネル１２ａ、１２ｎに隣接する外壁パネル１２ｂ、１２ｍを外壁パネル１２ａ、１２ｎに対して角度θ２、たとえば１８８度に傾けて配置する。そして、外壁パネル１２ｃ、１２ｄ、１２ｅ、１２ｆをそれぞれ外壁パネル１２ｂ、１２ｃ、１２ｄ、１２ｅに対して角度θ３、たとえば１９８．５度傾けて配置し、同様に外壁パネル１２ｉ、１２ｊ、１２ｋ、１２ｌをそれぞれ外壁パネル１２ｊ、１２ｋ、１２ｌ、１２ｍに対して角度θ３、たとえば１９８．５度傾けて配置する。また、外壁パネル１２ｇを外壁パネル１２ｆに対して角度θ２、たとえば１８８度に傾けて配置し、外壁パネル１２ｈを外壁パネル１２ｉに対して角度θ２、たとえば１８８度に傾けて配置する。
【００３２】
このように外壁パネル１２の数を変えることにより非矩形矩形平面空間３６の形状を変えることができる。
【００３３】
なお、この場合、外壁パネル１２ｇと外壁パネル１２ｈとの間に柱２２を設けたが、ここに柱２２を設けなくてもよい。
【００３４】
また、上で挙げた角度や寸法の具体的数値はいずれも単なる一例であり、必要に応じて適宜変更可能である。
【図面の簡単な説明】
【００３５】
【図１】この発明の一実施例の外壁構造を示す断面図である。
【図２】（Ａ）は図１の外壁構造を用いた建物を示す斜視図であり、（Ｂ）は（Ａ）の建物の上面を示す平面図である。
【図３】平面形状の外壁の外壁パネルと非矩形平面空間の外壁パネルとの間に目地を嵌めた状態を示す断面図である。
【図４】この発明の別の実施例の外壁構造を示す断面図である。
【図５】（Ａ）は図４の外壁構造を用いた建物を示す斜視図であり、（Ｂ）は（Ａ）の建物の上面を示す平面図である。
【図６】この発明のさらに別の実施例の外壁構造を示す断面図である。
【図７】図６の外壁構造を用いた建物の上面を示す平面図である。
【図８】従来技術の外壁構造を示す断面図である。
【符号の説明】
【００３６】
１０…外壁構造
１２…外壁パネル
１４…平面形状の外壁
１６…非矩形平面空間
【図１】
2006138105.tif 000003
【図２】
2006138105.tif 000004
【図３】
2006138105.tif 000005
【図４】
2006138105.tif 000006
【図５】
2006138105.tif 000007
【図６】
2006138105.tif 000008
【図７】
2006138105.tif 000009
【図８】
2006138105.tif 000010